(57)【要約】【課題】システムコンポ１０に内蔵又は外付けされるメモリカード２５やＵＳＢメモリ２７等の記録メディア間でオーディオファイルを移動する場合に、移動先の記録メディアにおいて上書きに因る楽曲ファイルの喪失を防止しつつ、移動後、ユーザが移動先の記録メディアにおいて各楽曲ファイルを能率よく探し出せるようにする。【解決手段】楽曲ファイルを移動する場合には、移動先記録メディアにフォルダを新規に作り、その中へ楽曲ファイルを格納させる。フォルダ名の重複排除のために、フォルダ名を連番で管理する。移動元記録メディアのフォルダ名に連番以外の名称部分があったら、連番＋該名称部分を移動先フォルダ名とする。【選択図】図２
2008203953.tif 000002
【特許請求の範囲】
【請求項１】
記録元メディアにおけるコンテンツファイルを記録先メディアへ移動又は複写する場合には記録先メディアに新規フォルダを作成して該フォルダ内にコンテンツファイルを記録するコンテンツ処理装置であって、
記録元メディアにおけるコンテンツファイルの格納フォルダの名称に、記録元メディアにおけるフォルダ名重複排除の管理名部分以外の名称部分としての非管理名部分が含まれているか否かの判定を行う判定手段、
記録先メディアにおけるコンテンツファイルの格納フォルダについて記録先メディアにおける重複排除の管理名部分を生成する管理名部分生成手段、及び
前記判定手段による判定が正である場合には、前記記録先メディアに新規に作成したフォルダの名称として、前記管理名部分生成手段により生成された管理名部分及び前記非管理名部分を含むフォルダ名を付与するフォルダ名付与手段、
を備えることを特徴とするコンテンツ処理装置。
【請求項２】
記録元メディアにおけるコンテンツファイル用フォルダを記録先メディアへ移動又は複写する場合に該コンテンツファイル用フォルダの名称に、記録元メディアにおけるフォルダ名重複排除の管理名部分以外の名称部分としての非管理名部分が含まれているか否かの判定を行う判定手段、
記録先メディアにおける記録先コンテンツファイル用フォルダについて記録先メディアにおける重複排除の管理名部分を生成する管理名部分生成手段、及び
前記判定手段による判定が正である場合には、前記記録先メディアに新規に作成した記録先フォルダの名称として、前記管理名部分生成手段により生成された管理名部分及び前記非管理名部分を含むフォルダ名を付与するフォルダ名付与手段、
を備えることを特徴とするコンテンツ処理装置。
【請求項３】
前記判定手段による判定が否である場合には、フォルダ名を前記記録先メディア用管理名部分のみとする前記フォルダ名付与手段、
を備えることを特徴とする請求項１又は２記載のコンテンツ処理装置。
【請求項４】
前記非管理名部分が記録先メディアにおいて重複しないフォルダ名であるならば、前記非管理名部分のみのフォルダ名を付与する前記フォルダ名付与手段、
を備えることを特徴とする請求項１〜３のいずれかに記載のコンテンツ処理装置。
【請求項５】
記録元メディアにおけるコンテンツファイルを記録先メディアへ移動又は複写する場合には記録先メディアに新規フォルダを作成して該フォルダ内にコンテンツファイルを記録するコンテンツ処理方法であって、
記録元メディアにおけるコンテンツファイルの格納フォルダの名称に、記録元メディアにおけるフォルダ名重複排除の管理名部分以外の名称部分としての非管理名部分が含まれているか否かの判定を行う判定ステップ、
記録先メディアにおけるコンテンツファイルの格納フォルダについて記録先メディアにおける重複排除の管理名部分を生成する管理名部分生成ステップ、及び
前記判定ステップにおける判定が正である場合には、前記記録先メディアに新規に作成したフォルダの名称として、前記管理名部分生成ステップにおいて生成した管理名部分及び前記非管理名部分を含むフォルダ名を付与するフォルダ名付与ステップ、
を備えることを特徴とするコンテンツ処理方法。
【請求項６】
記録元メディアにおけるコンテンツファイル用フォルダを記録先メディアへ移動又は複写する場合に該コンテンツファイル用フォルダの名称に、記録元メディアにおけるフォルダ名重複排除の管理名部分以外の名称部分としての非管理名部分が含まれているか否かの判定を行う判定ステップ、
記録先メディアにおける記録先コンテンツファイル用フォルダについて記録先メディアにおける重複排除の管理名部分を生成する管理名部分生成ステップ、及び
前記判定ステップにおける判定が正である場合には、前記記録先メディアに新規に作成した記録先フォルダの名称として、前記管理名部分生成ステップにおいて生成した管理名部分及び前記非管理名部分を含むフォルダ名を付与するフォルダ名付与ステップ、
を備えることを特徴とするコンテンツ処理方法。
【請求項７】
請求項１〜４のいずれかに記載のコンテンツ処理装置の各手段としてコンピュータを機能させるためのプログラム。
【発明の詳細な説明】
【技術分野】
【０００１】
本発明は、楽曲ファイル等のコンテンツファイルを記録メディア間で移動又は複写するコンテンツ処理装置、コンテンツ処理方法及びプログラムに関する。
【背景技術】
【０００２】
昨今のシステムコンポ等のオーディオ装置は、ハードディスク装置を内蔵したり、ＳＤカードやＵＳＢメモリ等を着脱自在に装着されたり、携帯型デジタルオーディオプレーヤ等をＵＳＢケーブルにより接続されたりし、ユーザがオーディオ装置における所定の操作でオーディオファイルを記録メディア間で適宜、移動及び複写することができるようになっている。
【０００３】
特許文献１は、一方の記録メディア（記録媒体）から所定のファイルを読み出して、他方の記録メディアへ該ファイルを記録する場合に、該他方の記録メディアにおける該ファイルの上書きを防止するために、該他方の記録メディアに、同一名のファイルが存在する場合には、（ａ）フォルダを新規に作成し、その中へ該ファイルを記録したり（特許文献１の図３）、（ｂ）フォルダを新規に作成し、以前からルートに存在した同一名のファイルを該新規フォルダへ移してから、ルートへ記録したり（特許文献１の図４）、（ｃ）一方の記録メディアにおけるファイル名に”ａ”，”ｂ”，・・・等の添え字を付けたファイル名に変更して、他方の記録メディアに記録したりしている（特許文献１の図６）。
【特許文献１】特開２００３−２７２３４５号公報
【発明の開示】
【発明が解決しようとする課題】
【０００４】
記録元メディアにおける同一名のオーディオファイルの上書きを回避しつつ、オーディオファイルを移動や複写する場合に、記録元メディアに新規フォルダを自動作成し、かつ該フォルダの名称として、他のフォルダ名と重複しない連番をフォルダ名として該新規作成フォルダに付与し、該フォルダの中にオーディオファイルを移動させるようにすれば、ユーザに同一名のオーディオファイルの存在を通知して、ユーザに確認させたり、キャンセルさせたりする処理を省くことができ、移動等の処理を迅速かつ簡便化することができる。
【０００５】
しかしながら、連番名のフォルダの場合、ユーザが記録先メディアから所望のオーディオファイルを探し出す場合に、該フォルダ内にどのようなオーディオファイルが格納されているかがフォルダ名だけからはユーザには分からず、不便である。特許文献１は、新規フォルダを作成することのみを言及し、具体的なフォルダ名についての言及は欠落している。
【０００６】
本発明の目的は、フォルダ名の重複を排除しつつ、ユーザが所望のコンテンツファイルをフォルダ名から探し出し易くしたコンテンツ処理装置、コンテンツ処理方法及びプログラムを提供することである。
【課題を解決するための手段】
【０００７】
本発明によれば、記録元メディアのフォルダ名に、連番等の重複フォルダ名排除の管理名部分以外の名称部分としての非管理名部分が含まれている場合には、記録先のフォルダ名は、移動先記録メディアにおける管理名部分の他に、該非管理名部分を含ませることにする。
【０００８】
本発明のコンテンツ処理装置は、記録元メディアにおけるコンテンツファイルを記録先メディアへ移動又は複写する場合には記録先メディアに新規フォルダを作成して該フォルダ内にコンテンツファイルを記録するものであって、次の手段を備えている。
記録元メディアにおけるコンテンツファイルの格納フォルダの名称に、記録元メディアにおけるフォルダ名重複排除の管理名部分以外の名称部分としての非管理名部分が含まれているか否かの判定を行う判定手段、
記録先メディアにおけるコンテンツファイルの格納フォルダについて記録先メディアにおける重複排除の管理名部分を生成する管理名部分生成手段、及び
判定手段による判定が正である場合には、記録先メディアに新規に作成したフォルダの名称として、管理名部分生成手段により生成された管理名部分及び非管理名部分を含むフォルダ名を付与するフォルダ名付与手段。
【０００９】
本発明の別のコンテンツ処理装置は次の手段を備えている。
記録元メディアにおけるコンテンツファイル用フォルダを記録先メディアへ移動又は複写する場合に該コンテンツファイル用フォルダの名称に、記録元メディアにおけるフォルダ名重複排除の管理名部分以外の名称部分としての非管理名部分が含まれているか否かの判定を行う判定手段、
記録先メディアにおける記録先コンテンツファイル用フォルダについて記録先メディアにおける重複排除の管理名部分を生成する管理名部分生成手段、及び
判定手段による判定が正である場合には、記録先メディアに新規に作成した記録先フォルダの名称として、管理名部分生成手段により生成された管理名部分及び非管理名部分を含むフォルダ名を付与するフォルダ名付与手段。
【００１０】
本発明のコンテンツ処理方法は、記録元メディアにおけるコンテンツファイルを記録先メディアへ移動又は複写する場合には記録先メディアに新規フォルダを作成して該フォルダ内にコンテンツファイルを記録するものであって、次のステップを備えている。
記録元メディアにおけるコンテンツファイルの格納フォルダの名称に、記録元メディアにおけるフォルダ名重複排除の管理名部分以外の名称部分としての非管理名部分が含まれているか否かの判定を行う判定ステップ、
記録先メディアにおけるコンテンツファイルの格納フォルダについて記録先メディアにおける重複排除の管理名部分を生成する管理名部分生成ステップ、及び
判定ステップにおける判定が正である場合には、記録先メディアに新規に作成した記録先フォルダの名称として、管理名部分生成ステップにおいて生成した管理名部分及び非管理名部分を含むフォルダ名を付与するフォルダ名付与ステップ。
【００１１】
本発明の別のコンテンツ処理方法は次のステップを備えている。
記録元メディアにおけるコンテンツファイル用フォルダを記録先メディアへ移動又は複写する場合に該コンテンツファイル用フォルダの名称に、記録元メディアにおけるフォルダ名重複排除の管理名部分以外の名称部分としての非管理名部分が含まれているか否かの判定を行う判定ステップ、
記録先メディアにおける記録先コンテンツファイル用フォルダについて記録先メディアにおける重複排除の管理名部分を生成する管理名部分生成ステップ、及び
判定ステップにおける判定が正である場合には、記録先メディアに新規に作成した記録先フォルダの名称として、管理名部分生成ステップにおいて生成した管理名部分及び非管理名部分を含むフォルダ名を付与するフォルダ名付与ステップ。
【００１２】
本発明のプログラムは、前述の本発明のいずれかのコンテンツ処理装置の各手段としてコンピュータを機能させる。
【発明の効果】
【００１３】
本発明によれば、記録先のフォルダ名は、記録先記録メディアにおける管理名部分と共に、記録元のフォルダの名称における非管理名部分が含まれることになるので、フォルダ名の重複に因る以前のフォルダやコンテンツファイルの喪失が防止されるとともに、ユーザは、記録先の記録メディアにおいて所望のコンテンツファイルを能率的に探し出すことができる。
【発明を実施するための最良の形態】
【００１４】
図１はシステムコンポ１０の構成図である。セレクター１１は、システムマイコン１４からの制御信号に基づきアナログ入力端子１３及びその他（図示せず）からのアナログ信号の１つを選択して、ＡＤＣ２１へ出力する。ＣＤメカ部１２は、それへ装填されたＣＤから読み出したデータを、デジタル信号としてＤＳＰ２２へ送る。ＡＤＣ２１は、セレクター１１からのアナログ信号をデジタル信号へ変換して、ＤＳＰ２２へ出力する。
【００１５】
表示部１５は、システムマイコン１４からの表示データに基づきテキスト等の情報を表示する。操作部１６は、種々のキーを装備し、ユーザ操作のあったキーに係る情報をシステムマイコン１４へ出力する。システムマイコン１４は、操作部１６及びＤＳＰ２２からの入力に基づき所定の処理を行うとともに、セレクター１１及び表示部１５へ制御信号を出力する。
【００１６】
ＤＳＰ２２は、外部ＲＡＭ２３を使用しつつ、エンコードやデコード等の種々の演算を実行する。システムコンポ１０は、メモリカード用スロット２４及びＵＳＢコントローラ２６を装備し、メモリカード２５及びＵＳＢメモリ２７が、それぞれメモリカード用スロット２４及びＵＳＢコントローラ２６へ着脱自在に装着されるようになっている。メモリカード２５は、例えば、ＳＤカードやメモリスティックである。
【００１７】
装着中のメモリカード２５及びＵＳＢメモリ２７に格納されているＭＰ３やＷＭＡ等のオーディオファイル（典型的には楽曲ファイル）は、そのデータをＤＳＰ２２により読み出されて、デコードされ、ＤＡＣ３１へ送られる。ＤＡＣ３１は、デジタルのオーディオ信号をアナログのオーディオ信号へ変換する。ＤＡＣ３１からのアナログのオーディオ信号は、アンプ部３２において増幅されてから、スピーカ３３へ送られ、スピーカ３３において対応のオーディオへ変換されて、出力される。
【００１８】
ＵＳＢコントローラ２６には、ＵＳＢメモリ２７に代えて、ＵＳＢケーブルの親側のコネクタを接続することもできる。これにより、携帯型デジタルオーディオプレーヤ等がＵＳＢケーブルを介してシステムコンポ１０へ適宜接続される。システムコンポ１０は、ハードディスクを内蔵していてもよい。メモリカード２５、ＵＳＢメモリ２７、内蔵ハードディスク及び携帯型デジタルオーディオプレーヤ内蔵のフラッシュメモリ等は、それ自体がデータを読み書き自在の記録メディアとなっているか、又は記録メディアを装備しているかしており、システムコンポ１０は、接続中、装着中、又は内蔵中の記録メディア間においてオーディオファイルをユーザ指示に基づき移動したり、複写したりできるようになっている。
【００１９】
図２はオーディオファイル移動方法４０のフローチャートである。オーディオファイル移動方法４０はシステムコンポ１０において実行される。オーディオファイル移動方法４０における移動元及び移動先の記録メディアは、システムコンポ１０へ接続中、装着中、又は内蔵中のメモリカード２５等の任意の記録メディアである。
【００２０】
Ｓ４１では、移動元記録メディアにおいて、移動対象のオーディオファイルをユーザに選択させる。Ｓ４２では、操作部１６のファイル移動キーに対するユーザ操作が行われたか否かを判定し、判定が正になりしだい、Ｓ４３へ進む。Ｓ４３では、ユーザの指定した移動先記録メディアが存在するか否かを判定し、判定が正であるならば、Ｓ４４へ進み、否であるならば、Ｓ４２へ戻る。
【００２１】
Ｓ４４では、移動先記録メディアにフォルダが存在するか否かを判定し、判定が正であるならば、Ｓ４５へ進み、否であるならば、Ｓ４６へ進む。Ｓ４５では、連番の名称を含むフォルダ名が移動先記録メディアにおいてすでにあるか否かを判定し、判定が正であるならば、Ｓ４７へ進み、否であるならば、Ｓ４６へ進む。なお、連番とは、整数を１から順番に並べたものである。フォルダ名における連番部分の文字桁数を揃えるために、最上位の桁が０になっていることがある。例えば、連番の桁数を３桁に揃える場合には、連番は００１，００２，００３，・・・となる。該連番は、移動先記録メディアにおけるフォルダ名の重複排除のために利用される。
【００２２】
Ｓ４６では、”１”（連番の桁数を揃えている場合には、例えば”００１”）の連番を名称とするフォルダを作成する。Ｓ４７では、移動先記録メディアにおいて、現在、存在する最大値の連番を検出し、該最大連番値に１を加算した連番を名称とするフォルダを作成する。Ｓ４８では、Ｓ４６又はＳ４７で作成したフォルダ内への移動対象オーディオファイルのコピー要求を出す。
【００２３】
Ｓ４９では、Ｓ４８でコピー要求を出したオーディオファイルについてのコピーが終了したか否かを判定し、判定が正になりしだい、Ｓ５６へ進む。Ｓ５６では、今回の移動対象のオーディオファイルを格納しているフォルダについて、移動元記録メディアにおける名称を通知させる要求を出す。Ｓ５７では、通知された移動元フォルダ名が、連番のみの名称になっているか否かを判定し、判定が正であれば、Ｓ６１へ進み、否であれば、Ｓ５８へ進む。
【００２４】
Ｓ５８では、移動元フォルダ名が、”連番＋連番以外の名称部分”（例：１２３倖田來未：倖田來未は歌手名の一例とする。）となっているか、それとも”連番以外の名称部分”のみか（例：倖田來未）を判定し、前者であれば、Ｓ５９へ進み、後者であれば、Ｓ６０へ進む。連番以外の名称部分は、例えば、ユーザが、フォルダ名編集作業により移動元記録メディアのフォルダに過去に付与したものであり、具体例として、アルバム名、アーティスト名、ジャンル名、又はそれらの組合せ等である。
【００２５】
Ｓ５９では、移動元フォルダ名から連番（例：１２３）を省略し、すなわち、”連番以外の名称部分”のみを抽出し、移動先フォルダ名を、Ｓ４６又はＳ４７で付けた連番（例：４５６）に、抽出した”連番以外の名称部分”（例：倖田來未）を連結した名称（例：４５６倖田來未）へ変更する。Ｓ６０では、すなわち、移動元フォルダ名が”連番以外の名称部分”（例：倖田來未）のみから成る場合には、Ｓ４６又はＳ４７で付けた連番（例：４５６）の後ろに”連番以外の名称部分”を付加した名称（例：４５６倖田來未）へ変更する。もし、Ｓ５８，Ｓ５９を省略した場合には、移動先フォルダ名は、移動先フォルダ名の連番＋移動元フォルダ名の連番＋”連番以外の名称部分”（例：１２３４５６倖田來未）となり、連番部分（例：１２３４５６）が長大化してしまうのに対し、Ｓ５８，Ｓ５９により余分部分を除去することができる。Ｓ６１では、移動元ファイルにおける移動元オーディオファイルを削除する。
【００２６】
オーディオファイル移動方法４０は、Ｓ６１を除去すれば、記録メディア間のオーディオファイル複写方法として利用可能である。
【００２７】
図３はフォルダ移動方法７０のフローチャートである。フォルダ移動方法７０において、オーディオファイル移動方法４０のステップと同一の内容になっているステップはオーディオファイル移動方法４０の対応ステップと同一番号で指示して、説明は省略し、相違するステップのみについて説明する。フォルダ移動方法７０では、オーディオファイル移動方法４０のＳ４１，Ｓ５６，Ｓ６１は、それぞれＳ７１，Ｓ７２，Ｓ７３に置き換わっている。
【００２８】
Ｓ７１では、移動元記録メディアにおいて、移動対象のフォルダをユーザに選択させる。Ｓ４９では、移動対象のフォルダ内の全部のオーディオファイルについて、移動先フォルダ内へのコピーが終了したか否かを判定し、判定が正になりしだい、Ｓ７２へ進む。
【００２９】
Ｓ７２では、今回の移動対象のフォルダについて移動元記録メディアにおける名称を通知させる要求を出す。Ｓ７３では、移動元ファイルにおける移動元フォルダを削除する。
【００３０】
フォルダ移動方法７０は、Ｓ７３を除去すれば、記録メディア間のフォルダ複写方法として利用可能である。
【００３１】
図４はオーディオファイル移動方法８０のフローチャートである。図２のオーディオファイル移動方法４０では、録音元（移動元）の記録メディアにおける移動対象のオーディオファイルが格納されているフォルダの名称が、”連番以外の名称部分”を含んでいる場合に、録音先（移動先）の記録メディアにおいて格納するフォルダの名称には、該”連番以外の名称部分”と共に録音先記録メディアにおける連番が一律に付与された。これに対し、このオーディオファイル移動方法８０では、”連番以外の名称部分”が録音先記録メディアにおけるフォルダ名として重複していないならば、録音先記録元メディア名は、録音先記録メディアにおける連番は省き、”連番以外の名称部分”のみとする（オーディオファイル移動方法８０のＳ８２，Ｓ８５）。
【００３２】
オーディオファイル移動方法８０において、オーディオファイル移動方法４０のステップと同一内容のステップについては、オーディオファイル移動方法４０の対応ステップと同一番号で指示して、説明は省略し、相違するステップのみについて説明する。オーディオファイル移動方法８０では、Ｓ５８の後に、Ｓ８１，Ｓ８２，Ｓ８４，Ｓ８５が追加されている。オーディオファイル移動方法８０のＳ５８では、録音元の記録メディアにおいて移動対象となっているオーディオファイルを格納するフォルダの名称が、”連番＋連番以外の名称部分”となっているか、それとも”連番以外の名称部分”のみかを判定し、前者であれば、Ｓ８１へ進み、後者であれば、Ｓ８４へ進む。
【００３３】
Ｓ８１では、すなわち、録音元フォルダ名が、”連番＋連番以外の名称部分”（例：１２３倖田來未）となっている場合、”連番以外の名称部分”（例：倖田來未）をフォルダ名とするフォルダが録音先記録メディアにあるか否かを判定し、判定が正であれば、Ｓ５９へ進み、否であれば、Ｓ８２へ進む。Ｓ８２では、すなわち、”連番以外の名称部分”をフォルダ名とするフォルダが録音先記録メディアにない場合は、録音先フォルダの名称を”連番以外の名称部分”のみ（例：倖田來未）とする。
【００３４】
Ｓ８４では、すなわち、録音元フォルダ名が、”連番以外の名称部分”のみ（例：倖田來未）から成る場合は、該”連番以外の名称部分”（例：倖田來未）をフォルダ名とするフォルダが録音先記録メディアにあるか否かを判定し、判定が正であれば、Ｓ６０へ進み、否であれば、Ｓ８５へ進む。Ｓ８５では、すなわち、”連番以外の名称部分”をフォルダ名とするフォルダが録音先記録メディアにない場合は、録音先フォルダの名称を該”連番以外の名称部分”のみ（例：倖田來未）とする。
【００３５】
オーディオファイル移動方法８０は、一部変形して、記録メディア間のオーディオファイルの複写方法として利用することもできる。その場合には、Ｓ６１を除去する。オーディオファイル移動方法８０は、一部変形して、記録メディア間のフォルダ丸ごとの移動又は複写にも利用することができる。その場合には、オーディオファイル移動方法８０において、Ｓ４１，Ｓ５６，Ｓ６１をフォルダ移動方法７０（図３）のＳ７１，Ｓ７２，Ｓ７３へ置き換えたり、さらに、Ｓ６１を除去したりする。
【００３６】
図５はコンテンツ処理装置９０のブロック図である。前述のシステムコンポ１０はコンテンツ処理装置９０の一実施例である。コンテンツ処理装置９０は、オーディオファイル移動方法４０（図２）に対応している。コンテンツ処理装置９０（及び後述の図６のコンテンツ処理装置１００）が移動又は複写の対象とするコンテンツファイルは、オーディオファイルに限定されず、ビデオや静止画等のＡＶ（Ａｕｄｉｏ  ＆  Ｖｉｓｕａｌ）関連のファイル、さらに、文書又はゲームソフト等の任意の情報に係るファイルであってよい。
【００３７】
システムコンポ１０は、記録元メディア９７におけるコンテンツファイルを記録先メディア９８へ移動又は複写する場合には記録先メディア９８に新規フォルダを作成して該フォルダ内にコンテンツファイルを記録する。記録元メディア９７及び記録先メディア９８としての記録メディアの具体例は、システムコンポ１０の内蔵記憶装置（例えば内蔵ハードディスク装置）、システムコンポ１０に対して着脱自在に装着される各種メモリ（例：メモリカード２５やＵＳＢメモリ２７）、システムコンポ１０へＵＳＢやＬＡＮのケーブル又は無線を介して接続される携帯側デジタルオーディオプレーヤ等の内蔵又は着脱自在のメモリである。
【００３８】
コンテンツ処理装置９０は、判定手段９１、管理名部分生成手段９２及びフォルダ名付与手段９３を備えている。判定手段９１は、記録元メディア９７におけるコンテンツファイルの格納フォルダの名称に、記録元メディア９７におけるフォルダ名重複排除の管理名部分以外の名称部分としての非管理名部分が含まれているか否かの判定を行う。
【００３９】
管理名部分生成手段９２は、記録先メディア９８におけるコンテンツファイルの格納フォルダについて記録先メディア９８における重複排除用の管理名部分としての記録先メディア用管理名部分を生成する。フォルダ名付与手段９３は、判定手段９１の判定が正である場合には、記録先メディア用管理名部分及び非管理名部分を含むフォルダ名を記録先メディア９８におけるコンテンツファイルの格納フォルダに付与する。
【００４０】
管理名部分とは、例えば連番である。典型的には、コンテンツファイルを記録する記録メディアでは、各フォルダは、フォルダ名の重複排除のために、作成順に連番１，２，３，・・・を含む名称が付与される。なお、フォルダ名における各連番の桁数を統一するために、設定桁数に達していない連番には、上位桁に０が挿入されることがある（例：設定桁数が３の場合、連番１，２，３・・・は、連番００１，００２，００３・・・とする。）。管理名部分は、連番に限定されず、奇数番のみ又は偶数番のみの１飛びの番号を使用したり、番号に代えてアルファベットを使用したり（例：ａａａ，ａａｂ，ａａｃ，・・・ａａｚ，ａｂａ，ａｂｂ，・・・）、記録年月日や記録日時とすることもできる。
【００４１】
非管理名部分は、典型的には、フォルダ作成後に、ユーザ編集により入力されたものであり、例えば、アルバム名、アーティスト名、ジャンル名だけでなく、ユーザが記録メディア内の所望のフォルダを探し易いように自由に命名することができる。フォルダ名編集機能装備の機器によっては、ユーザが管理名部分を変更することを許可したり、禁止したりすることがある。
【００４２】
フォルダ名付与手段９３が付与するフォルダ名では、典型的には、管理名部分及び非管理名部分が前及び後ろに配置されるが（例：４５６倖田來未）、逆の配置（例：倖田來未４５６）であってもよい。さらに、該フォルダ名は、管理名部分及び非管理名部分以外のものを適宜追加されたものであってもよいとする。
【００４３】
図６は別のコンテンツ処理装置１００のブロック図である。前述のシステムコンポ１０はコンテンツ処理装置１００の一実施例である。コンテンツ処理装置９０は、フォルダ移動方法７０（図３）に対応している。
【００４４】
コンテンツ処理装置１００は、判定手段１０１、管理名部分生成手段１０２及びフォルダ名付与手段１０３を備えている。判定手段１０１は、記録元メディア９７におけるコンテンツファイル用フォルダを記録先メディア９８へ移動又は複写する場合に該コンテンツファイル用フォルダの名称に、記録元メディア９７におけるフォルダ名重複排除の管理名部分以外の名称部分としての非管理名部分が含まれているか否かの判定を行う。
【００４５】
管理名部分生成手段１０２は、記録先メディア９８における記録先コンテンツファイル用フォルダについて記録先メディア９８における重複排除用の管理名部分としての記録先メディア用管理名部分を生成する。フォルダ名付与手段１０３は、判定が正である場合には、記録先メディア用管理名部分及び非管理名部分を含むフォルダ名を記録先メディア９８における記録先フォルダに付与する。
【００４６】
前述のコンテンツ処理装置９０において説明した管理名部分、非管理名部分、フォルダ名付与手段９３が付与するフォルダ名についての説明は、コンテンツ処理装置１００における管理名部分、非管理名部分、フォルダ名付与手段１０３が付与するフォルダ名についてもそのまま当て嵌まる。
【００４７】
コンテンツ処理装置９０，１００では、コンテンツファイルやコンテンツファイル用フォルダの移動又は複写の場合に、記録先メディア９８において、フォルダ名が重複することにより、移動や複写処理前の大事なコンテンツファイルやコンテンツファイル用フォルダを誤って喪失することが防止されるとともに、記録元メディア９７における非管理名部分が、記録先メディア９８における移動先又は複写先のフォルダ名の少なくとも一部に反映されるようになっているので、ユーザは、記録先メディア９８において所望のコンテンツファイルやコンテンツファイル用フォルダを能率的に探し出すことが可能になる。
【００４８】
以下、コンテンツ処理装置９０，１００の両方に適用する具体例について説明する。典型的には、フォルダ名付与手段９３，１０３は、判定手段９１，１０１の判定が否である場合には、フォルダ名を記録先メディア用管理名部分のみとする。
【００４９】
フォルダ名付与手段９３，１０３は、また、非管理名部分が記録先メディアにおいて重複しないフォルダ名であるならば、非管理名部分のみのフォルダ名を付与することができる。この具体例は、オーディオファイル移動方法８０（図４）におけるＳ８２，Ｓ８５である。
【００５０】
前述のフォルダ移動方法７０等では、フォルダ名の付与を二段階で行っている。すなわち、Ｓ４６，Ｓ４７において連番のみのフォルダ名、すなわち管理名部分のみのフォルダ名でフォルダを作成して、Ｓ４９で該仮り名称のフォルダに対象ファイルの複写を終了してから、Ｓ５９，Ｓ６０でリネーム処理によりフォルダ名を、非管理名部分付きの正式名称へ変更している。コンテンツ処理装置９０，１００でも、このような二段階命名方式を採用してもよいし、最初から正式名称を記録先フォルダに付与してから、対象コンテンツファイルの複写を行って、リネーム処理を省略するようにしてもよい。
【００５１】
図７はコンテンツ処理方法１２０のフローチャートである。コンテンツ処理方法１２０はコンテンツ処理装置９０に適用される。Ｓ１２１とＳ１２２との実行順番は任意である。Ｓ１２２をＳ１２１より先に実行してもよいし、両者を並列処理してもよい。Ｓ１２１では、記録元メディア９７におけるコンテンツファイルの格納フォルダの名称に、記録元メディア９７におけるフォルダ名重複排除の管理名部分以外の名称部分としての非管理名部分が含まれているか否かの判定を行う。判定が正である場合には、Ｓ１２３へ進み、否である場合には、Ｓ１２４へ進む。
【００５２】
Ｓ１２２では、記録先メディア９８におけるコンテンツファイルの格納フォルダについて記録先メディア９８における重複排除用の管理名部分としての記録先メディア用管理名部分を生成する。Ｓ１２３では、記録先メディア用管理名部分及び非管理名部分を含むフォルダ名を記録先メディア９８におけるコンテンツファイルの格納フォルダに付与する。Ｓ１２４については、コンテンツ処理方法１３０（図８）のＳ１３４とまとめて後で説明する。
【００５３】
Ｓ１２１〜Ｓ１２３の処理は、コンテンツ処理装置９０（図５）の判定手段９１〜フォルダ名付与手段９３の機能にそれぞれ対応している。したがって、判定手段９１〜フォルダ名付与手段９３の機能について述べた具体的態様はＳ１２１〜Ｓ１２３の処理についての具体的態様としても適用可能である。
【００５４】
図８は別のコンテンツ処理方法１３０のフローチャートである。コンテンツ処理方法１３０はコンテンツ処理装置１００に適用される。Ｓ１３１とＳ１３２との実行順番は任意である。Ｓ１３２をＳ１３１より先に実行してもよいし、両者を並列処理してもよい。Ｓ１３１では、記録元メディア９７におけるコンテンツファイル用フォルダを記録先メディア９８へ移動又は複写する場合に該コンテンツファイル用フォルダの名称に、記録元メディア９７におけるフォルダ名重複排除の管理名部分以外の名称部分としての非管理名部分が含まれているか否かの判定を行う。判定が正である場合には、Ｓ１３３へ進み、否である場合には、Ｓ１３４へ進む。
【００５５】
Ｓ１３２では、記録先メディア９８における記録先コンテンツファイル用フォルダについて記録先メディア９８における重複排除用の管理名部分としての記録先メディア用管理名部分を生成する。Ｓ１３３では、記録先メディア用管理名部分及び非管理名部分を含むフォルダ名を記録先メディア９８における記録先フォルダに付与する。Ｓ１３４については後述する。
【００５６】
Ｓ１３１〜Ｓ１３３の処理は、コンテンツ処理装置１００（図５）の判定手段１０１〜フォルダ名付与手段１０３の機能にそれぞれ対応している。したがって、判定手段１０１〜フォルダ名付与手段１０３の機能について述べた具体的態様はＳ１３１〜Ｓ１３３の処理についての具体的態様としても適用可能である。
【００５７】
コンテンツ処理方法１２０のＳ１２４及びコンテンツ処理方法１３０のＳ１３４では、フォルダ名を記録先メディア用管理名部分のみとする。コンテンツ処理方法１２０，１３０では、さらに、非管理名部分が記録先メディア９８において重複しないフォルダ名であるか否かの判定ステップをＳ１２１，Ｓ１３１より後でＳ１２３，Ｓ１３３より前に追加することができる。そして、重複する場合にのみ、Ｓ１２３，Ｓ１３３を実行するようにし、重複しない場合には、移動先又は複写先のフォルダの名称を非管理名部分のみとするようにしてもよい。
【００５８】
本発明を適用したプログラムは、コンピュータをコンテンツ処理装置９０，１００の各手段として機能させる。本発明を適用した別のプログラムは、コンテンツ処理方法１２０，１３０の各ステップをコンピュータに実行させる。
【００５９】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたものも含まれる。
【図面の簡単な説明】
【００６０】
【図１】システムコンポの構成図である。
【図２】オーディオファイル移動方法のフローチャートである。
【図３】フォルダ移動方法のフローチャートである。
【図４】別のオーディオファイル移動方法のフローチャートである。
【図５】コンテンツ処理装置のブロック図である。
【図６】別のコンテンツ処理装置のブロック図である。
【図７】コンテンツ処理方法のフローチャートである。
【図８】別のコンテンツ処理方法のフローチャートである。
【符号の説明】
【００６１】
９０：コンテンツ処理装置、９１：判定手段、９２：管理名部分生成手段、９３：フォルダ名付与手段、９７：記録元メディア、９８：記録先メディア、１００：コンテンツ処理装置、１０１：判定手段、１０２：管理名部分生成手段、１０３：フォルダ名付与手段、１２０：コンテンツ処理方法、１３０：コンテンツ処理方法。
【図１】
2008203953.tif 000003
【図２】
2008203953.tif 000004
【図３】
2008203953.tif 000005
【図４】
2008203953.tif 000006
【図５】
2008203953.tif 000007
【図６】
2008203953.tif 000008
【図７】
2008203953.tif 000009
【図８】
2008203953.tif 000010